(57)【特許請求の範囲】
【請求項１】
両側に開口した箱枠形の装置本体と、
前記装置本体の両側の開口の各々に、当該開口の横方向の一端側を回転軸として軸支され、当該回転軸回りに開閉自在な消火栓扉と、
ノズル付きのホースと、
前記ノズル付きのホースを前記両側の開口から取出し自在に前記装置本体に収納するホース収納部と、
を備え、
前記ホース収納部は、前記両側の消火栓扉の各々から取出し自在に２組のノズル付きのホースを収納し、
前記両側の消火栓扉は、開放する際の回転方向が同じであることを特徴とする消火栓装置。
【請求項２】
請求項１記載の消火栓装置に於いて、前記ホース収納部は、
円環状に内巻する前記２組のホースの左右両端側又は上下両端側を外側から保持するフレームと、前記フレームを前記２組のホースを収納する部分で仕切る仕切フレームとを前記装置本体内に配置したことを特徴とする消火栓装置。
【請求項３】
請求項２記載の消火栓装置に於いて、前記装置本体内に両側に配置した前記消火栓扉を開放した状態で、それぞれの開口側から開閉操作可能に、前記２組のホースをそれぞれ連結した消火栓弁を設けたことを特徴とする消火栓装置。
【請求項４】
両側に開口した箱枠形の装置本体と、
前記装置本体の両側の開口の各々に、当該開口の横方向の一端側を回転軸として軸支され、当該回転軸回りに開閉自在な消火栓扉と、
ノズル付きのホースと、
前記ノズル付きのホースを前記両側の開口から取出し自在に前記装置本体に収納するホース収納部と、
を備え、
前記ホース収納部は、円環状に内巻する前記ホースの左右両端側及び又は上下両端側を外側から保持するフレームを前記装置本体内に配置し、
前記フレームは、前記いずれの消火栓扉を開放した場合においても、当該フレームの奥側に前記ホースが位置するように当該ホースを保持することを特徴とする消火栓装置。
【請求項５】
請求項４記載の消火栓装置に於いて、前記ホース収納部は、一又は複数の対になった前記フレームを支持する支持ポールを備えたことを特徴とする消火栓装置。
【発明の詳細な説明】
【技術分野】
【０００１】
本発明は、地下鉄ホーム等に設置され、火災時にノズル付きのホースを引き出して消火作業を行う消火栓装置に関する。
【背景技術】
【０００２】
従来、地下鉄駅のホームにはスタンド型の消火栓装置を設置している。消火栓装置は、上り線と下り線に挟まれたホームにあっては、例えば上り線及び下り線の例えば後ろ側にそれぞれ設置しており、駅の構内施設やホームに入ってきた電車で火災が発生した場合、駅員や電車の乗務員がホームに設置している消火栓を使用して消火活動を行うことを可能としている。
【０００３】
このように地下鉄ホームに設置している消火栓装置は、金属製の収納箱の前面に、開閉自在に消火栓扉を開閉自在に設け、また消火栓装置の表側となる消火栓扉の上部に通報パネルを設け、通報パネルに発信機、赤色表示灯、内蔵した警報用スピーカに対応した音響孔、及び内蔵した非常電話に対応した非常電話扉を設けている。
【０００４】
通報パネルに設けた赤色表示灯は常時点灯し、消火栓装置の設置場所が遠方から視認できるようにしている。火災時には、発信機中央に設けたボタンを押圧操作することでボタン内側のスイッチをオンすると、発信信号が監視室の防災受信盤（火災受信機）に送信されて防災受信盤の報知部から火災警報が報知出力されると共に、防災受信盤から引き出された制御線に接続されて各所に設置された地区音響端末に対して地区音響信号が送られて所定の各場所でも警報音が出力される。
【０００５】
消火栓装置は、収納箱の内部に消火栓弁を配置し、消火栓弁の２次側にはノズルを装着した消火ホースを連結接続し、内部のホルダに折り畳み状態で掛けることで引き出し自在に収納している。
【０００６】
通常時、消火栓装置の消火栓扉は閉じられており、適宜の扉ロック機構等により閉状態に維持されている。火災が発生した場合には、扉ロック機構等を操作して扉閉状態を解除して消火栓扉を開き、例えば一人がノズルを持ちながら消火ホースを引き出して火災発生場所（消火対象）に向かい、もう一人が発信機を操作して通報すると共に消火栓弁を開放操作するといったように、二人ないしそれ以上で消火活動を行う。これは、ホースの引出中に消火栓弁を開放すると、水圧とその反動等によりホースが適切に引き出せなくなったり、危険が生じたりするといった問題を回避するため、また使用中、消火栓扉の開放を人の手で維持する必要がある等のためである。
【０００７】
このように、少なくとも二人操作を必要とする消火栓装置は１号消火栓として法的に規格が定められており、一方、一人操作を可能とする消火栓として放水による反動力を抑えると共に保形ホースを使用した２号消火栓も法的に規格が定められている。
【先行技術文献】
【特許文献】
【０００８】
【特許文献１】特開平９−３８２３１号公報
【特許文献２】特開２０１２−１７６１８１号公報
【発明の概要】
【発明が解決しようとする課題】
【０００９】
しかしながら、このような従来の消火栓装置にあっては、上り線と下り線に挟まれた地下鉄ホーム等に設置した場合、例えば上り線側に消火栓扉を向けて設置した場合には下り線側が消火栓装置の裏側となり、逆に、下り線側に消火栓扉を向けて設置した場合には上り線側が消火栓装置の裏側となり、上りホーム側又は下りホーム側の火災に対し同じ消火栓装置の消火器扉を開いて消火活動を可能とすることが考えられる。しかしながら、この場合にも消火栓装置の裏側となるホームの反対方向からは消火栓装置の表側が見えない死角となることから、消火栓装置の設置形態としては必ずしも適切とはいえない問題がある。
【００１０】
本発明は、消火栓装置の両面からノズル付きのホースの引き出しを可能として地下鉄ホーム等での設置方向の制約を無くして適切な消火活動を可能とする消火栓装置を提供することを目的とする。
【課題を解決するための手段】
【００１１】
（消火栓装置）
本発明は、消火栓装置に於いて、
両側に開口した箱枠形の装置本体と、
装置本体の両側の開口の各々に、当該開口の横方向の一端側を回転軸として軸支され、当該回転軸回りに開閉自在な消火栓扉と、
ノズル付きのホースと、
ノズル付きのホースを装置本体の両側の開口から取出し自在に装置本体に収納するホース収納部と、
を備え、
ホース収納部は、両側の消火栓扉の各々から取出し自在に２組のノズル付きのホースを収納し、
両側の消火栓扉は、開放する際の回転方向が同じであることを特徴とする。
【００１２】
（ダブルホース収納部）
ホース収納部は、円環状に内巻する２組のホースの左右両端側又は上下両端側を外側から保持するフレームと、フレームを２組のホースを収納する部分で仕切る仕切フレームとを装置本体内に配置する。
【００１３】
（ダブル消火栓弁）
装置本体内に両側に配置した消火栓扉を開放した状態で、それぞれの開口側から開閉操作可能に、２組のホースをそれぞれ連結した消火栓弁を設ける。
【００１４】
（消火栓装置）
本発明は、消火栓装置に於いて、
両側に開口した箱枠形の装置本体と、
装置本体の両側の開口の各々に、当該開口の横方向の一端側を回転軸として軸支され、当該回転軸回りに開閉自在な消火栓扉と、
ノズル付きのホースと、
ノズル付きのホースを装置本体の両側の開口から取出し自在に装置本体に収納するホース収納部と、
を備え、
ホース収納部は、円環状に内巻するホースの左右両端側及び又は上下両端側を外側から保持するフレームを装置本体内に配置し、
フレームは、いずれの消火栓扉を開放した場合においても、当該フレームの奥側にホースが位置するように当該ホースを保持する。
【００１５】
（支持ポール）
ホース収納部は、一又は複数の対になったフレームを支持する支持ポールを備える。
【発明の効果】
【００１９】
（基本的な効果）
本発明は、消火栓装置に於いて、両側に開口した箱枠形の装置本体と、装置本体の両側の開口の各々に開閉自在に設けた消火栓扉と、ノズル付きのホースと、
ノズル付きのホースを両側から取出し自在に装置本体に収納するホース収納部とを設けるようにしたため、消火栓装置は両側に消火栓扉を設けたことで裏表が無くなり、両面を操作側として例えば上り線と下り線に挟まれた地下鉄ホーム等に設置することで、１台の消火栓装置であっても、上りホーム側からも下り線側からも各々１台の消火栓装置が設置されていると実質的に見做すことができ、消火器本体の両側に設けた消火栓扉の内、必要に応じて何れか一方の消火栓扉を開放してノズル付きのホースを取り出して消火作業を行うことを可能とし、地下鉄ホームに一台の消火栓装置を設置することで、見掛け上２台の消火栓装置を設置したと同等の取扱いを可能とする。
【００２０】
（通報パネルの効果）
また、消火栓扉を設けた装置本体の上部に、非常表示灯、発信機、音響装置及び非常電話扉の少なくとも１種類以上を備えた通報パネルを設けるようにしたため、例えば上り線と下り線に挟まれた地下鉄ホームに設置した場合、上り線ホーム側からも下り線ホーム側からも、それぞれの側に配置している通報パネルを見て必要な操作を行うことを可能とし、地下鉄ホーム等に１台の消火栓装置を設置することで、通報パネルを含めて見掛け上、２台の消火栓装置を設置したと同等の取扱いを可能とする。
【００２１】
（ホース収納部による効果）
また、ホース収納部は、円環状に内巻するホースの左右両端側または上下両端側を外側から保持するフレームを装置本体内に配置するようにしたため、装置本体の両側に配置した消火栓扉の何れか一方を開いてノズル付きのホースを引き出すことを可能とし、地下鉄ホーム等に１台の消火栓装置を設置することで、２台の消火栓装置を設置したと同等の消火作業を可能とする。
【００２２】
（ノズルの配置位置による効果）
また、ホース収納部に内巻きして収納したホースの内巻中心空間の中にノズルを配置するようにしたため、消火栓扉を設けた消火栓装置の両側からノズルを取り出してホースを引き出すことを可能とする。
【００２３】
（消火栓弁による効果）
また、装置本体内に、両側に配置した消火栓扉を開放した状態で、両側から操作可能な消火栓弁を設けるようにしたため、装置本体の両側に配置した消火栓扉の何れか一方を開いてノズル付きのホースを引き出した状態で消火栓弁を開操作して消火作業を行うことができ、消火栓弁を両側から操作可能としたことで、１個の消火栓弁を設置するだけで、見掛け上、２台の消火栓装置を設置したと同等の消火作業を可能とする。
【００２４】
（ダブルホースによる効果）
また、ホース収納部に、装置本体の両側の各々から取出し自在に２組のノズル付きのホースを収納するようにしたため、１台の消火栓装置でありながら、２台の消火栓装置を背中合せに配置した場合と同等の取扱いを可能とする。
【００２５】
（ダブルホース収納部による効果）
また、ホース収納部は、円環状に内巻する２組のホースの左右両端側又は上下両端側を外側から保持するフレームと、フレームを２組のホースを収納する部分に仕切る仕切フレームとを装置本体内に配置とするようにしたため、装置本体の両側に配置した消火栓扉の何れか一方を開き、開いた側に収納しているノズル付きのホースを引き出すことを可能とし、地下鉄ホーム等に１台の消火栓装置を設置することで、背合せに２台の消火栓装置を設置したと同等の消火作業を可能とする。また、ホース収納部は仕切フレームにより２組のホースを収納する部分に分離しているため、一方のホースを引き出しても他報のホースの内巻きが崩れてしまうようなことがなく、２組のホースの独立した引出し及び巻き戻しを可能とする。
【図面の簡単な説明】
【００２６】
【図１】両面開閉構造を備えた消火栓装置の外観を示した説明図
【図２】消火栓扉を外して消火栓装置の装置本体を示した説明図
【図３】両面の消火栓扉を開放した状態を平面で示した説明図
【図４】装置本体の底部に給水配管を引き込んでホースを接続する消火栓装置を消火栓扉を開放した状態で示した説明図
【図５】地下鉄ホームにおける消火栓装置の設置例を示した説明視図
【図６】ホースフレームを横に並べて平行配置したホース収納部を模式的に示した説明図
【図７】ホースフレームを縦に並べて平行配置したホース収納部を模式的に示した説明図
【図８】ホースフレームを縦及び横に並べて箱形に配置したホース収納部を模式的に示した説明図
【図９】ホースを２組収納した装置本体を示した説明図
【図１０】ホースを２組収納した消火栓装置の両面の消火栓扉を開放した状態を平面で示した説明図
【図１１】装置本体の底部に給水配管を引き込んで２組のホースを接続する消火栓装置を消火栓扉を開放した状態で示した説明図
【図１２】ホースフレームを縦に並べて平行配置することで２組のホースを収納するホース収納部を模式的に示した説明図
【図１３】ホースフレームを縦に並べて平行配置することで２組のホースを収納するホース収納部を模式的に示した説明図
【図１４】ホースフレームを縦および横に並べて箱形に配置して２組のホースを収納するホース収納部を模式的に示した説明図
【発明を実施するための形態】
【００２７】
［両面開閉型の消火栓装置の概要］
図１は両面開閉構造を備えた消火栓装置の外観を示した説明図であり、図１（Ａ）に左側から見た正面を示し、図１（Ｂ）に側面から見た断面を示し、図１（Ｃ）に右側から見た正面を示す。図２は消火栓扉を外して消火栓装置の装置本体を示した説明図であり、図２（Ａ）に左側から見た正面を示し、図２（Ｂ）に図２（Ａ）の側面から見たＢ−Ｂ断面（一部省略）を示し、図２（Ｃ）に右側から見た正面を示す。図３は両面の消火栓扉を開放した状態を平面で示した説明図である。
【００２８】
図１に示すように、本実施形態の消火栓装置１０は、両側に開口した箱枠形の装置本体１２、装置本体１２の両側の扉開口１４ａ，１４ｂの各々に開閉自在に設けた消火栓扉１６ａ，１６ｂ及び通報パネル２０ａ，２０ｂで構成している。
【００２９】
消火栓扉１６ａ，１６ｂは、向かって右端をヒンジにより回転自在に連結し、取っ手１８ａ，１８ｂを操作してロックを外すことで、図３に示すように、ヒンジ２５ａ，２５ｂを中心に消火栓扉１６ａ，１６ｂを右回りに開放可能としている。
【００３０】
図１に示す消火栓装置１０の両側上部に配置した通報パネル２０ａ，２０ｂには、発信機２２ａ，２２ｂ、赤色表示灯２４ａ，２４ｂ、内蔵した警報用スピーカに対応した音響孔２６ａ，２６ｂ、及び内蔵した非常電話に対応した非常電話扉２８ａ，２８ｂを設けている。
【００３１】
通報パネル２０ａ，２０ｂに設けた赤色表示灯２４ａ，２４ｂは常時点灯しており、消火栓装置１０の設置場所が遠方から視認できるようにしている。火災時には、発信機２２ａ，２２ｂの中央に設けたボタンを押圧操作することで発信信号が監視室の防災受信盤（火災受信機）に送信されて防災受信盤の報知部から火災警報が報知出力されると共に、防災受信盤から引き出された制御線に接続されて各所に設置された地区音響端末に対して地区音響信号が送られて所定の各場所でも警報音が出力される。非常電話扉２８ａ，２８ｂの内部には非常電話機を設置しており、火災時に監視室側との通話ができる。
【００３２】
なお、赤色表示灯は、装置本体１２の上部に上向きに突出するように配置してもよい。このように装置本体１２の上部に赤色表示灯を設けることで、３６０°の全方向から赤色表示灯が確認可能となる。また、音響孔は、通報パネル２０ａ，２０ｂが位置する装置本体１２の側面（片側又は両側の側面）に設けるようにしても良い。
【００３３】
［装置本体］
図２に示すように、箱枠形に形成した装置本体１２は、内部を棚板部材１３で上下に仕切り、棚板部材１３の下側にホース収納空間１２ａを形成し、棚板部材１３の上側にパネル機器収納空間１２ｂを形成している。
【００３４】
（ホース収納部）
図２に示すホース収納空間１２ａには、矩形に形成した一対のホースフレーム３０を左右に配置し、支持ポール４０により上下に支持した構造のホース収納部を設置している。
【００３５】
ホース収納部は、図６（Ａ）に、装置本体１２を透視状態として模式的に示すように、パイプ部材を使用して矩形に形成した一対のホースフレーム３０を、想像線で示す円環状に内巻きしたホース３２を左右から挟むように所定間隔を離して横に並べて平行配置し、左右に位置するホースフレーム３０の上側の横フレームの中央から上向きに支持ポール４０を延在し、また下側に位置するホースフレーム３０の横フレームの中央から下向きに支持ポール４０を延在し、円環状に内巻きしたホース３２が開口側から見てホース収納空間１２ａの略中央部に位置するように支持している。
【００３６】
また、装置本体１２の左右の内壁部分は、環状に内巻したホース３２の外周が当たることで、ホース収納部の横幅を決めている。また、本実施形態のホース３２は一人操作を可能とする保形ホースを使用している。
【００３７】
本実施形態のホース収納部は、左右に配置したホースフレーム３０の間の縦長の空間をホース３２の取出し及び内巻き状態に巻き戻すために使用可能であり、縦に広いスペースを有効に利用してノズル付きのホース３２を引出して行う消火作業や、ホース３２を巻き戻す作業を行い易くする。
【００３８】
再び図２を参照するに、装置本体１２の側面上部には配管接続口１５を設け、配管接続口７８には消火栓装置１０の地下鉄ホームへの設置状態で給水本管から分岐して立ち上げた給水管を接続可能としている。
【００３９】
配管接続口１５の内部には消火栓弁３６を設置し、消火栓弁３６の２次側にホース３２の後端を連結している。一対のホースフレーム３０の中に内巻きして収納したホース３２の先端には開閉操作可能なノズル３４を装着し、環状に内巻きした状態にあるホース３２の中央部に置き、消火栓扉１６ａ，１６ｂを開いた場合に両側から取出し可能としている。
【００４０】
消火栓弁３６は、弁体の両側に操作軸を取り出してハンドル３８ａ，３８ｂを設けており、装置本体１２の両側の扉開口から開閉操作可能としている。
【００４１】
また、ホース３２の先端に連結したノズル３４はノズルホルダ等に配置せず、ホース収納部に内巻きして収納したホース３２の内巻中心空間３５にノズル３４の中に配置しており、これにより消火栓扉を設けた消火栓装置１０の両側からノズル３４を取り出してホース３２を引き出すことを可能とする。
【００４２】
図４は装置本体の底部に給水配管を引き込んでホースを接続する消火栓装置を消火栓扉を開放した状態で示した説明図である。
【００４３】
図４に示すように、本実施形態の装置本体１２は、ホース収納空間１２ａに、支持ポール４０で支持した一対のホースフレーム３０を配置してノズル３４付きのホース３２を内巻きに収納した点は図２の実施形態と同じであるが、装置本体１２の底部に配管接続口１５を設け、ホームに設置した場合に下側から立ち上げた給水本管４２を装置本体１２の底部の開口を介して配管接続口１５と連結するようにしている。
【００４４】
配管接続口１５から上方に立ち上げた配管には消火栓弁３６を接続し、消火栓弁３６の２次側にホース３２の後端を連結している。
【００４５】
このように装置本体１２の底部に配管接続口１５を設けたことで、ホームに設置した消火栓装置１０に対する給水配管の接続が外側に出ず、外側に配管設置スペースを確保する必要がなく、また、見栄えも良くなる。
【００４６】
［地下鉄ホームの設置と消火作業］
図５は地下鉄ホームにおける消火栓装置の設置例を示した説明図である。図５（Ａ）に示すように、本実施形態の消火栓装置１０は、上り線４４ａと下り線４４ｂに挟まれたホーム４６上の例えば所定距離離れた２箇所に、消火栓扉１６ａ，１６ｂを設けた両面を上り線４４ａ側と下り線４４ｂ側に向けて設置している。
【００４７】
これにより上り線４４ａ側及び下り線４４ｂ側の何れの側からも、図１に示すように、消火栓装置１０の通報パネル２０ａ，２０ｂに設けている赤色表示灯２４ａ，２４ｂを視認して消火栓装置１０の設置場所を確認できる。また、ホーム４６に設置した消火栓装置１０は、ホーム４６の右側に設置した消火栓装置１０に示すように、線路側に面している消火栓扉１６ａ，１６ｂを必要に応じて図示のように開くことができる。
【００４８】
このため火災時には、上り線４４ａに面している消火栓扉１６ａまたは下り線４４ｂに面している消火栓扉１６ｂを開き、ノズル付きのホースを引き出して消火作業を行う。
【００４９】
消火栓扉１６ａを開いた場合、図２（Ａ）に示すように、装置本体１２のホース収納空間１２ａにホース３２が内巻き状態で収納されており、ノズル３４は閉鎖位置となっていることから、消火栓弁３６をハンドル３８ａにより開操作し、この状態で閉鎖状態にあるノズル３４をもってホース３２を引き出し、火災発生場所に近づいたらノズル３４を開操作して放水することで消火作業を行う。
【００５０】
ノズル３４からの放水による消火活動で火災が鎮火した場合には、消火栓弁３６を閉じて放水を停止し、その後、ホース３２を元に戻す復旧作業を行う。この復旧作業用は使用したホース３２を水抜きした後に、ホースフレーム３０の中にホース３２を内巻きして巻き戻す。この場合、装置本体１２の両側の消火栓扉１６ａ，１６ｂを開放しておくことで、ホース引出し側に対し反対側の扉開口からもホース３２の内巻き作業を行うことを可能とし、簡単且つ容易にホースフレーム３０内にホース３２を内巻き状態に巻き戻すことを可能とする。
【００５１】
図５（Ｂ）は地下鉄ホームに対する消火栓装置１０の他の設置例を示しており、この場合は、上り線４４ａと下り線４４ｂに挟まれたホーム４４の例えば所定距離離れた２箇所に、消火栓扉１６ａ，１６ｂを設けたホーム長手方向に向けて設置している。これにより消火栓装置１０の設置場所に対しホーム４６の両側から図１に示した消火栓装置１０の通報パネル２０ａ，２０ｂに設けている赤色表示灯２４ａ，２４ｂを視認して消火栓装置１０の設置場所を確認できる。
【００５２】
またホーム４６に設置した消火栓装置１０は、ホーム４６の右側に設置した消火栓装置１０に示すように、ホーム４６の長手方向の両側に面している消火栓扉１６ａ，１６ｂを必要に応じて図示のように開くことができる。
【００５３】
このため火災時には、火災発生場所に面している側となる消火栓装置１０の消火栓扉１６ａ又は１６ｂを開き、ノズル付きのホースを引き出して消火作業を行う。
【００５４】
勿論、地下鉄ホームに対する本実施形態の消火栓装置の設置場所と向きは、必要に応じて適宜の場所及び向きとすることができ、また、ホームのみならず地下鉄駅のコンコース等に設置しても良い。
【００５５】
［ホースフレームを横に並べて平行配置したホース収納部の他の構造］
図６はホースフレームを横に並べて平行配置したホース収納部を模式的に示した説明図であり、図６（Ａ）〜（Ｄ）の実施形態に分けて示している。ここで、図６（Ａ）は、前述したように、図２に示したホース収納部を模式的に示しており、残りの図６（Ｂ）〜（Ｄ）がホース収納部の他の実施形態となる。
【００５６】
図６（Ｂ）に示すホース収納部は、矩形に形成した一対のホースフレーム３０を、円環状に内巻きしたホース３２を左右から挟むように所定間隔を離して横に並べて平行配置し、左右に位置する各ホースフレーム３０の縦フレームの各々から上向き及び下向きに支持ポール４０を延在し、円環状に内巻きしたホース３２が開口側から見てホース収納空間１２ａの略中央部に位置するように支持している。この実施形態では各ホースフレーム３０の支持ポール４０が４本になることから、円環状に内巻きしたホース３２の支持強度を高めることを可能とする。
【００５７】
図６（Ｃ）に示すホース収納部は、矩形に形成した一対のホースフレーム３０を、円環状に内巻きしたホース３２を左右から挟むように所定間隔を離して横に並べて平行配置しており、この点は図６（Ａ）と同じであるが、支持ポール４０をホースフレーム３０の横フレームの中央から左右に延在し、円環状に内巻きしたホース３２が開口側から見てホース収納空間１２ａの略中央部に位置するように支持している。
【００５８】
この実施形態では、ホースフレーム３０及び支持ポール４０の占めるスペースを小さくすることができ、このため使用したホース３２を水抜きしてホース収納部に内巻きにより巻戻す場合に手を入れるスペースが広くなり、ホース３２を巻き戻す復旧作業を行い易くする。
【００５９】
図６（Ｄ）に示すホース収納部は、矩形に形成した一対のホースフレーム３０を、円環状に内巻きしたホース３２を左右から挟むように所定間隔を離して横に並べて平行配置しており、この点は図６（Ａ）と同じであるが、支持ポール４０をホースフレーム３０の４カ所のコーナ部分から左右に延在し、開口側から見てホース収納空間１２ａの略中央部に円環状に内巻したホース３２が位置するように支持している。
【００６０】
この実施形態では一対のホースフレーム３０をそれぞれ４本の支持ポール４０で横向きに支持することで、円環状に内巻きしたホース３２の支持強度を高めることを可能とする。
【００６１】
［ホースフレームを縦に並べて平行配置したホース収納部の構造］
図７はホースフレームを縦に並べて平行配置したホース収納部を模式的に示した説明図であり、図７（Ａ）〜（Ｄ）の実施形態に分けて示している。
【００６２】
図７（Ａ）に示すホース収納部は、一対のホースフレーム３０を、円環状に内巻きしたホース３２を上下に挟むように所定間隔を離して縦に並べて平行配置し、上側に位置するホースフレーム３０の横フレームの中央から上向きに支持ポール４０を延在し、また下側に位置するホースフレーム３０の横フレームの中央から下向きに支持ポール４０を延在し、円環状に内巻きしたホース３２が開口側から見てホース収納空間１２ａの略中央部に位置するように支持している。
【００６３】
この実施形態では、上下に配置したホースフレーム３０の間の横長の空間をホース３２の取出し及び内巻きとするホース３２の巻き戻しに使用可能であり、横に広いスペースを有効に利用してホース引出しを行う消火作業や、ホース３２を巻き戻す作業を行い易くする。
【００６４】
図７（Ｂ）に示すホース収納部は、矩形に形成した一対のホースフレーム３０を、円環状に内巻きしたホース３２を上下から挟むように所定間隔を離して縦に並べて平行配置しており、この点は図７（Ａ）と同じであるが、上側に位置するホースフレーム３０のコーナの各々から上向きに支持ポール４０を延在し、また下側に位置するホースフレーム３０のコーナの各々から下向きに支持ポール４０を延在し、円環状に内巻きしたホース３２が開口側から見てホース収納空間１２ａの略中央部に位置するように支持している。この実施形態では各ホースフレーム３０の支持ポール４０が４本になることから、円環状に内巻きしたホース３２の支持強度を高めることを可能とする。
【００６５】
図７（Ｃ）に示すホース収納部は、矩形に形成した一対のホースフレーム３０を、円環状に内巻きしたホース３２を上下から挟むように所定間隔を離して縦に並べて平行配置しており、この点は図７（Ａ）と同じであるが、支持ポール４０をホースフレーム３０の横フレームの中央から左右に延在し、円環状に内巻きしたホース３２が開口側から見てホース収納空間１２ａの略中央部に位置するように支持している。
【００６６】
この実施形態では、ホースフレーム３０及び支持ポール４０の占めるスペースを小さくすることができ、このため使用したホース３２を水抜きしてホース収納部に内巻きにより巻戻す場合に手を入れるスペースが広くなり、ホース３２を巻き戻す復旧作業を行い易くする。
【００６７】
図７（Ｄ）に示すホース収納部は、矩形に形成した一対のホースフレーム３０を、円環状に内巻きしたホース３２を上下から挟むように所定間隔を離して縦に並べて平行配置しており、この点は図７（Ａ）と同じであるが、支持ポール４０をホースフレーム３０の４カ所のコーナ部分から左右に延在し、開口側から見てホース収納空間１２ａの略中央部に円環状に内巻したホース３２が位置するように支持している。
【００６８】
この実施形態では一対のホースフレーム３０をそれぞれ４本の支持ポール４０で横向きに支持することで、円環状に内巻きしたホース３２の支持強度を高めることを可能とする。
【００６９】
［ホースフレームを縦及び横に並べて平行配置したホース収納部の構造］
図８はホースフレームを縦及び横に並べて平行配置したホース収納部を模式的に示した説明図であり、図８（Ａ）〜（Ｄ）の実施形態に分けて示している。
【００７０】
図８（Ａ）に示すホース収納部は、図６（Ａ）と図７（Ａ）を実質的に組み合わせた構造であり、円環状に内巻きしたホース３２を上下及び左右に挟むようにホースフレーム３０を箱形に配置し、上側に位置するホースフレーム３０の横フレームの中央から上向きに支持ポール４０を延在し、また下側に位置するホースフレーム３０の横フレームの中央から下向きに支持ポール４０を延在し、円環状に内巻きしたホース３２が開口側から見てホース収納空間１２ａの略中央部に位置するように支持している。
【００７１】
この実施形態では、ホースフレーム３０を上下及び左右に配置するように箱形に形成することで、円環状に内巻きするホース３２の保持をより確実に行うことを可能とする。
【００７２】
また、ホース３２の取出口は、箱形に配置したホースフレーム３０による仕切られた矩形開口となってホース引出し方向を規定することとなり、このためホース３２を横に引き出した場合に装置本体１２に配置している消火栓扉の扉開口のエッジにホース３２が当たって擦れることを抑止可能とする。
【００７３】
図８（Ｂ）に示すホース収納部は、図６（Ｂ）と図７（Ｂ）を実質的に組み合わせた構造であり、円環状に内巻きしたホース３２を上下及び左右に挟むように、ホースフレーム３０を箱形に配置し、上側に位置するホースフレーム３０のコーナの各々から上向きに支持ポール４０を延在し、また下側に位置するホースフレーム３０のコーナの各々から下向きに支持ポール４０を延在し、円環状に内巻きしたホース３２が開口側から見てホース収納空間１２ａの略中央部に位置するように支持している。
【００７４】
この実施形態では各ホースフレーム３０の支持ポール４０が４本になることから、円環状に内巻きしたホース３２の支持強度を高めることを可能とする。また、ホース３２の取出し口は、箱形に配置したホースフレーム３０による仕切られた矩形開口となり、このためホース３２を横に引き出した場合に消火栓扉の扉開口のエッジにホース３２が当たって擦れることを抑止可能とする。
【００７５】
図８（Ｃ）に示すホース収納部は、図６（Ｃ）と図７（Ｃ）を実質的に組み合わせた構造であり、円環状に内巻きしたホース３２を上下及び左右に挟むように、ホースフレーム３０を箱形に配置し、支持ポール４０をホースフレーム３０の横フレームの中央から左右に延在し、円環状に内巻きしたホース３２が開口側から見てホース収納空間１２ａの略中央部に位置するように支持している。
【００７６】
この実施形態では、ホースフレーム３０及び支持ポール４０の占めるスペースを小さくすることができ、このため使用したホース３２を水抜きしてホース収納部に内巻きにより巻戻す場合に手を入れるスペースが広くなり、ホース３２を巻き戻す復旧作業を行い易くする。
【００７７】
また、ホース３２の取出し口は、箱形に配置したホースフレーム３０による仕切られた矩形開口となり、このためホース３２を横に引き出した場合に消火栓扉の扉開口のエッジにホース３２が当たって擦れることを抑止可能とする。
【００７８】
図８（Ｄ）に示すホース収納部は、図６（Ｄ）と図７（Ｄ）を実質的に組み合わせた構造であり、円環状に内巻きしたホース３２を上下及び左右に挟むように、ホースフレーム３０を箱形に配置し、支持ポール４０をホースフレーム３０の４カ所のコーナ部分から左右に延在し、開口側から見てホース収納空間１２ａの略中央部に円環状に内巻したホース３２が位置するように支持している。
【００７９】
この実施形態では一対のホースフレーム３０をそれぞれ４本の支持ポール４０で横向きに支持することで、円環状に内巻きしたホース３２の支持強度を高めることを可能とする。
【００８０】
また、ホース３２の取出し口は、箱形に配置したホースフレーム３０による仕切られた矩形開口となり、このためホース３２を横に引き出した場合に消火栓扉の扉開口のエッジにホース３２が当たって擦れることを抑止可能とする。
【００８１】
［２組のホースを収納した消火栓装置］
（装置本体）
図９は２組のホースを収納した消火栓装置の装置本体を示した説明図であり、図９（Ａ）に左側から見た正面を示し、図９（Ｂ）に図９（Ａ）の側面から見たＢ−Ｂ断面（一部省略）を示し、図９（Ｃ）に右側から見た正面を示す。図１０はホースを２組収納した消火栓装置の両面の消火栓扉を開放した状態を平面で示した説明図である。
【００８２】
図９に示すように、箱枠形に形成した装置本体１２は、両側の扉開口１４ａ，１４ｂの各々に、図１に示した消火栓扉１６ａ，１６ｂを嵌め入れてねじ止め固定する。
【００８３】
装置本体１２は内部を棚板部材１３で上下に仕切り、棚板部材１３の下側にホース収納空間１２ａを形成し、棚板部材１３の上側にパネル機器収納空間１２ｂを形成している。
【００８４】
消火栓装置１０の両側には、図１と同様に、消火栓扉１６ａ，１６ｂを設けており、取っ手１８ａ，１８ｂを操作してロックを外すことで、図１０に示すように、消火栓扉１６ａ，１６ｂをヒンジ２５ａ，２５ｂを中心に右回りに開放可能としている。
【００８５】
（２組のホースを収納するホース収納部）
図９に示す装置本体１２のホース収納空間１２ａには、矩形に形成した一対のホースフレーム３０を支持ポール４０により左右に並べて平行に支持した構造のホース収納部を設置し、左右に配置したホースフレーム３０の中に円環状に内巻きした２組のホース３２ａ，３２ｂを収納している。
【００８６】
ホース収納部は、図１２（Ａ）に装置本体１２のホース収納空間１２ａを透視状態として模式的に示すように、パイプ部材を使用して矩形に形成した一対のホースフレーム３０を、想像線で示す円環状に内巻きした２組のホース３２ａ，３２ｂを左右から挟むように所定間隔を離して横に並べて平行配置すると共に、左右に位置するホースフレーム３０の間に仕切板５０を固定してホース収納部を幅方向に仕切り、円環状に内巻きした２組のホース３２ａ，３２ｂを収納している。
【００８７】
また、左右に位置する各ホースフレーム３０の横フレームの中央から上向きに支持ポール４０を延在し、また下側に位置するホースフレーム３０の横フレームの中央から下向きに支持ポール４０を延在し、円環状に内巻きした２組のホース３２ａ，３２ｂが開口側から見てホース収納空間１２ａの略中央部に位置するように支持している。
【００８８】
再び図９を参照するに、２組のホース３２ａ，３２ｂの先端には開閉操作可能なノズル３４ａ，３４ｂを装着している。装置本体１２には２組のホース３２ａ，３２ｂに対応して２組の消火栓弁３６ａ，３６ｂを配置しており、内巻したホース３２ａ，３２ｂの後端は消火栓弁３６ａ，３６ｂの２次側に連結し、ハンドル３８ａ，３８ｂを開操作することで、消火ポンプから加圧供給された消火用水をホース３２ａ，３２ｂ側に供給するようにしている。
【００８９】
また、消火栓弁３６ａ，３６ｂの１次側は装置本体１２の側面に設けた配管接続口１５ａ，１５ｂに連結しており、配管接続口１５ａ，１５ｂには消火栓装置１０の地下鉄ホームへの設置状態で給水本管から分岐して立ち上げた給水管を接続する。
【００９０】
また、ノズル３４ａ，３４ｂはホース収納部に内巻きして収納したホース３２ａ，３２ｂの内巻中心空間３５ａ，３５ｂの中に配置しており、これにより消火栓扉を設けた消火栓装置１０の両側からノズル３４ａ，３４ａを取り出してホース３２ａ，３２ｂを引き出すことを可能としている。
【００９１】
図１１は装置本体の底部に給水配管を引き込んでホースを接続する消火栓装置を消火栓扉を開放した状態で示した説明図である。
【００９２】
図１１に示すように、本実施形態の装置本体１２は、ホース収納部１２ａに、支持ポール４０で支持した一対のホースフレーム３０及び仕切板５０で構成したホース収納部を配置してノズル３４ａ，３４ｂをそれぞれ設けた２組のホース３２ａ，３２ｂを内巻きに収納した点は、図９の実施形態と同じであるが、装置本体１２の底部側に配管接続口１５を設け、ホームに設置した場合に下側から立ち上げた給水本管４２を装置本体１２の底部の開口を介して配管接続口１５と連結するようにしている。
【００９３】
配管接続口１５からは左右に分岐配管５２ａ，５２ｂを接続して立上げて消火栓弁３６ａ，３６ｂをそれぞれ接続し、消火栓弁３６ａ，３６ｂの２次側にホース３２ａ，３２ｂの後端を連結している。
【００９４】
このように装置本体１２の底部に配管接続口１５を設けたことで、ホームに設置した消火栓装置１０に対する給水配管の接続が外側に出ず、外側に配管設置スペースを確保する必要がなく、また、見栄えも良くなる。
【００９５】
（２組のホースを収納した消火栓装置のメリット）
図９及び図１０に示すように、装置本体１２に２組のホース３２ａ，３２ｂを収納した消火栓装置１０は、図１に示した消火栓装置１０と同様に、両側に消火栓扉１６ａ，１６ｂ及び通報パネル２０ａ，２０ｂを設け、更に、消火栓扉１６ａ，１６ｂに対応して装置本体１２内に２組のホース３２ａ，３２ｂを収納していることから、図５に示したように、上り線と下り線に挟まれた地下鉄ホーム等に設置した場合、１台の消火栓装置１０であっても、上り線ホーム側からも下り線ホーム側からも各々１台の消火栓装置が独立に設置されていると実質的に見做すことができ、装置本体１２の両側に設けた消火栓扉１６ａ，１６ｂの内、必要に応じて何れか一方の消火栓扉を開放してノズル付きのホースを取り出して消火作業を行うことを可能し、地下鉄ホームに一台の消火栓装置１０を設置することで、ホースを含めて２台の消火栓装置を設置したと同じ取扱いを可能とする。
【００９６】
［ホースフレームを横に並べて平行配置したホース収納部の他の構造］
図１２は２組のホースを収納するホースフレームを横に並べて平行配置したホース収納部を模式的に示した説明図であり、図１２（Ａ）〜（Ｄ）の実施形態に分けて示している。ここで、図１２（Ａ）は、前述したように、図９に示したホース収納部を模式的に示していることから、残りの図１２（Ｂ）〜（Ｄ）がホース収納部の他の実施形態となる。
【００９７】
図１２（Ｂ）に示すホース収納部は、矩形に形成した一対のホースフレーム３０を、円環状に内巻きした２組のホース３２ａ，３２ｂを左右から挟むように所定間隔を離して横に並べて平行配置すると共に、左右に位置するホースフレーム３０の間に仕切板５０を固定してホース収納部を幅方向に仕切っており、この点は図１２（Ａ）と同じであるが、左右に位置する各ホースフレーム３０の縦フレームの各々から上向き及び下向きに支持ポール４０を延在し、円環状に内巻きした２組のホース３２ａ，３２ｂが開口側から見てホース収納空間１２ａの略中央部に位置するように支持している。
【００９８】
この実施形態では各ホースフレーム３０の支持ポール４０が４本になることから、円環状に内巻きしたホース３２の支持強度を高めることを可能とする。
【００９９】
図１２（Ｃ）に示すホース収納部は、矩形に形成した一対のホースフレーム３０を、円環状に内巻きした２組のホース３２ａ，３２ｂを左右から挟むように所定間隔を離して横に並べて平行配置すると共に、左右に位置するホースフレーム３０の間に仕切板５０を固定してホース収納部を幅方向に仕切っており、この点は図１２（Ａ）と同じであるが、支持ポール４０をホースフレーム３０の横フレームの中央から左右に延在し、円環状に内巻きしたホース３２ａ，３２ｂが開口側から見てホース収納空間１２ａの略中央部に位置するように支持している。
【０１００】
この実施形態では、ホースフレーム３０及び支持ポール４０の占めるスペースを小さくすることができ、このため使用したホース３２ａ，３２ｂを水抜きしてホース収納部に内巻きにより巻戻す場合に手を入れるスペースが広くなり、ホース３２ａ，３２ｂを巻き戻す復旧作業を行い易くする。
【０１０１】
図１２（Ｄ）に示すホース収納部は、矩形に形成した一対のホースフレーム３０を、円環状に内巻きした２組のホース３２ａ，３２ｂを左右から挟むように所定間隔を離して横に並べて平行配置すると共に、左右に位置するホースフレーム３０の間に仕切板５０を固定してホース収納部を幅方向に仕切っており、この点は図１２（Ａ）と同じであるが、支持ポール４０をホースフレーム３０の４カ所のコーナ部分から左右に延在し、開口側から見てホース収納空間１２ａの略中央部に円環状に内巻した２組のホース３２ａ，３２ｂが位置するように支持している。
【０１０２】
この実施形態では一対のホースフレーム３０をそれぞれ４本の支持ポール４０で横向きに支持することで、円環状に内巻きしたホース３２ａ，３２ｂの支持強度を高めることを可能とする。
【０１０３】
［ホースフレームを縦に並べて平行配置したホース収納部の構造］
図１３は２組のホースを収納するホースフレームを縦に並べて平行配置したホース収納部を模式的に示した説明図であり、図１３（Ａ）〜（Ｄ）の実施形態に分けて示している。
【０１０４】
図１３（Ａ）に示すホース収納部は、一対のホースフレーム３０を、円環状に内巻きした２組のホース３２を上下に挟むように所定間隔を離して縦に並べて平行配置すると共に、上下に位置するホースフレーム３０の間に仕切板５０を固定してホース収納部を幅方向に仕切っており、上側に位置するホースフレーム３０の横フレームの中央から上向きに支持ポール４０を延在し、また下側に位置するホースフレーム３０の横フレームの中央から下向きに支持ポール４０を延在し、円環状に内巻きした２組のホース３２ａ，３２ｂが開口側から見てホース収納空間１２ａの略中央部に位置するように支持している。
【０１０５】
この実施形態では、上下に配置したホースフレーム３０の間の横長の空間をホース３２ａ，３２ｂの取出し及び内巻きとする巻き戻しに使用可能であり、横に広いスペースを有効に利用してホース３２ａ，３２ｂを引出しを行う消火作業や、ホース３２ａ，３２ｂを巻き戻す作業を行い易くする。
【０１０６】
図１３（Ｂ）に示すホース収納部は、矩形に形成した一対のホースフレーム３０を、円環状に内巻きした２組のホース３２を上下から挟むように所定間隔を離して縦に並べて平行配置すると共に、上下に位置するホースフレーム３０の間に仕切板５０を固定してホース収納部を幅方向に仕切っており、この点は図１３（Ａ）と同じであるが、上側に位置するホースフレーム３０のコーナの各々から上向きに支持ポール４０を延在し、また下側に位置するホースフレーム３０のコーナの各々から下向きに支持ポール４０を延在し、円環状に内巻きしたホース３２ａ，３２ｂが開口側から見てホース収納空間１２ａの略中央部に位置するように支持している。
【０１０７】
この実施形態では各ホースフレーム３０の支持ポール４０が４本になることから、円環状に内巻きしたホース３２ａ，３２ｂの支持強度を高めることを可能とする。
【０１０８】
図１３（Ｃ）に示すホース収納部は、矩形に形成した一対のホースフレーム３０を、円環状に内巻きした２組のホース３２を上下から挟むように所定間隔を離して縦に並べて平行配置すると共に、上下に位置するホースフレーム３０の間に仕切板５０を固定してホース収納部を幅方向に仕切っており、この点は図１３（Ａ）と同じであるが、支持ポール４０をホースフレーム３０の横フレームの中央から左右に延在し、円環状に内巻きしたホース３２ａ，３２ｂが開口側から見てホース収納空間１２ａの略中央部に位置するように支持している。
【０１０９】
この実施形態では、ホースフレーム３０及び支持ポール４０の占めるスペースを小さくすることができ、このため使用したホース３２ａ，３２ｂを水抜きしてホース収納部に内巻きにより巻戻す場合に手を入れるスペースが広くなり、ホース３２ａ，３２ｂを巻き戻す復旧作業を行い易くする。
【０１１０】
図１３（Ｄ）に示すホース収納部は、矩形に形成した一対のホースフレーム３０を、円環状に内巻きした２組のホース３２を上下から挟むように所定間隔を離して縦に並べて平行配置すると共に、上下に位置するホースフレーム３０の間に仕切板５０を固定してホース収納部を幅方向に仕切っており、この点は図１３（Ａ）と同じであるが、支持ポール４０をホースフレーム３０の４カ所のコーナ部分から左右に延在し、ホース収納空間１２ａの略中央部に円環状に内巻したホース３２ａ，３２ｂが位置するように支持している。
【０１１１】
この実施形態では一対のホースフレーム３０をそれぞれ４本の支持ポール４０で横向きに支持することで、円環状に内巻きしたホース３２ａ，３２ｂの支持強度を高めることを可能とする。
【０１１２】
［ホースフレームを縦及び横に並べて平行配置したホース収納部の構造］
図１４はホースフレームを縦及び横に並べて平行配置して２組のホースを収納するホース収納部を模式的に示した説明図であり、図１４（Ａ）〜（Ｄ）の実施形態に分けて示している。
【０１１３】
図１４（Ａ）に示すホース収納部は、図１２（Ａ）と図１３（Ａ）を実質的に組み合わせた構造であり、円環状に内巻きした２組のホース３２ａ，３２ｂを上下及び左右に挟むようにホースフレーム３０を箱形に配置すると共に、上下に配置した横フレームの中央に仕切板５０を固定してホース収納部を幅方向に仕切っており、上側に位置するホースフレーム３０の横フレームの中央から上向きに支持ポール４０を延在し、また下側に位置するホースフレーム３０の横フレームの中央から下向きに支持ポール４０を延在し、円環状に内巻きした２組のホース３２ａ，３２ｂが開口側から見てホース収納空間１２ａの略中央部に位置するように支持している。
【０１１４】
この実施形態では、ホースフレーム３０を上下及び左右に配置するように箱形に形成することで、円環状に内巻きするホース３２ａ，３２ｂの保持をより確実に行うことを可能とする。
【０１１５】
また、ホース３２ａ，３２ｂの取出口は、箱形に配置したホースフレーム３０による仕切られた矩形開口となってホース引出し方向を規定することとなり、このためホース３２ａ，３２ｂを横に引き出した場合に装置本体１２に配置している消火栓扉の扉開口のエッジにホース３２ａ，３２ｂが当たって擦れることを抑止可能とする。
【０１１６】
図１４（Ｂ）に示すホース収納部は、図１２（Ｂ）と図１３（Ｂ）を実質的に組み合わせた構造であり、円環状に内巻きした２組のホース３２ａ，３２ｂを上下及び左右に挟むように、ホースフレーム３０を箱形に配置すると共に、上下及び左右に位置するホースフレーム３０の間に仕切板５０を固定してホース収納部を幅方向に仕切っており、上側に位置するホースフレーム３０のコーナの各々から上向きに支持ポール４０を延在し、また下側に位置するホースフレーム３０のコーナの各々から下向きに支持ポール４０を延在し、円環状に内巻きした２組のホース３２ａ，３２ｂが開口側から見てホース収納空間１２ａの略中央部に位置するように支持している。
【０１１７】
この実施形態では各ホースフレーム３０の支持ポール４０が４本になることから、円環状に内巻きしたホース３２ａ，３２ｂの支持強度を高めることを可能とする。また、ホース３２ａ，３２ｂの取出し口は、箱形に配置したホースフレーム３０による仕切られた矩形開口となり、このためホース３２ａ，３２ｂを横に引き出した場合に消火栓扉の扉開口のエッジにホース３２ａ，３２ｂが当たって擦れることを抑止可能とする。
【０１１８】
図１４（Ｃ）に示すホース収納部は、図１２（Ｃ）と図１３（Ｃ）を実質的に組み合わせた構造であり、円環状に内巻きした２組のホース３２ａ，３２ｂを上下及び左右に挟むように、ホースフレーム３０を箱形に配置すると共に、上下及び左右に位置するホースフレーム３０の間に仕切板５０を固定してホース収納部を幅方向に仕切っており、支持ポール４０をホースフレーム３０の横フレームの中央から左右に延在し、円環状に内巻きした２組のース３２ａ，３２ｂが開口側から見てホース収納空間１２ａの略中央部に位置するように支持している。
【０１１９】
この実施形態では、ホースフレーム３０及び支持ポール４０の占めるスペースを小さくすることができ、このため使用したホース３２ａ，３２ｂを水抜きしてホース収納部に内巻きにより巻戻す場合に手を入れるスペースが広くなり、ホース３２ａ，３２ｂを巻き戻す復旧作業を行い易くする。
【０１２０】
また、ホース３２ａ，３２ｂの取出し口は、箱形に配置したホースフレーム３０による仕切られた矩形開口となり、このためホース３２ａ，３２ｂを横に引き出した場合に消火栓扉の扉開口のエッジにホース３２ａ，３２ｂが当たって擦れることを抑止可能とする。
【０１２１】
図１４（Ｄ）に示すホース収納部は、図１２（Ｄ）と図１３（Ｄ）を実質的に組み合わせた構造であり、円環状に内巻きした２組のホース３２ａ，３２ｂを上下及び左右に挟むように、ホースフレーム３０を箱形に配置すると共に、上下及び左右に位置するホースフレーム３０の間に仕切板５０を固定してホース収納部を幅方向に仕切っており、支持ポール４０をホースフレーム３０の４カ所のコーナ部分から左右に延在し、開口側から見てホース収納空間１２ａの略中央部に円環状に内巻した２組のホース３２ａ，３２ｂが位置するように支持している。
【０１２２】
この実施形態では一対のホースフレーム３０をそれぞれ４本の支持ポール４０で横向きに支持することで、円環状に内巻きしたホース３２ａ，３２ｂの支持強度を高めることを可能とする。
【０１２３】
また、ホース３２ａ，３２ｂの取出し口は、箱形に配置したホースフレーム３０による仕切られた矩形開口となり、このためホース３２ａ，３２ｂを横に引き出した場合に消火栓扉の扉開口のエッジにホース３２ａ，３２ｂが当たって擦れることを抑止可能とする。
【０１２４】
［本発明の変形例］
上記の実施形態は、地下鉄ホーム等に設置する消火栓装置を例にとるものであったが、これ以外の屋内設置の消火栓装置についても、装置本体の両側の開口に、上記の実施形態と同様に、消火栓扉を設けた構造とすれば良い。
【０１２５】
また、上記の実施形態は一人操作を行う保形ホースを用いた消火栓装置を例にとっているが、二人操作を行う消火栓装置についても同様に適用できる。また、人の手によって、通常閉鎖されている収納箱の内部に収納された各種装置等を取り出したり操作したりする消火栓装置である限りにおいて、収納箱の内部に設ける装置類は任意であり、例えば上記実施形態のものに加え消火ポンプの起動スイッチボタン等を設けた消火栓装置についても同様に適用できる。
【０１２６】
また、上記各実施形態で示した消火栓装置の、例えば装置本体に内蔵されるホース類や消火栓弁、通報パネルの構成及び配置その他、両側に設けた消火栓扉以外の構成についても任意であり、適宜の構成を採用して良い。要するに、消火栓装置の両側の開口に対し消火栓扉を設け、本願の課題の一部又は全部を解決し、或いは若干でも改善するものであれば良い。
【０１２７】
また、発信機は必ずしも消火栓と一対でなくてもよく、発信機の設置場所は消火栓の場所によらず適宜設計配置されてもよい。
【０１２８】
また本発明は、その目的と利点を損なうことのない適宜の変形を含み、更に、上記の実施形態に示した数値による限定は受けない。
【符号の説明】
【０１２９】
１０：消火栓装置
１２：装置本体
１４ａ，１４ｂ：扉開口
１５，１５ａ，１５ｂ：配管接続口
１６ａ，１６ｂ：消火栓扉
１８ａ，１８ｂ：取っ手
２０ａ，２０ｂ：通報パネル
２２ａ，２２ｂ：発信機
２４ａ，２４ｂ：赤色表示灯
２６ａ，２６ｂ：音響孔
２８ａ，２８ｂ：非常電話扉
３０：ホースフレーム
３２，３２ａ，３２ｂ：ホース
３４，３４ａ，３４ｂ：ノズル
３５，３５ａ，３５ｂ：内巻中心空間
３６，３６ａ，３６ｂ：消火栓弁
３８，３８ａ，３８ｂ：ハンドル
４０：支持ポール
５０：仕切板
【図１】
0006527015.tif 000002
【図２】
0006527015.tif 000003
【図３】
0006527015.tif 000004
【図４】
0006527015.tif 000005
【図５】
0006527015.tif 000006
【図６】
0006527015.tif 000007
【図７】
0006527015.tif 000008
【図８】
0006527015.tif 000009
【図９】
0006527015.tif 000010
【図１０】
0006527015.tif 000011
【図１１】
0006527015.tif 000012
【図１２】
0006527015.tif 000013
【図１３】
0006527015.tif 000014
【図１４】
0006527015.tif 000015